(57)【要約】【課題】演算処理量を過度に増大させることなく、輝度ムラによる再生エラーを抑制可能な情報再生方法およびホログラフィー装置を提供する。【解決手段】制御部は、参照パターン毎に、「０」データの受光強度を代表する平均強度Ｂａｖｅ［ｎ］、および「１」データの受光強度を代表する平均強度Ｗａｖｅ［ｎ］を算出する。そして、制御部は、参照パターン毎の強度差Ｄ［ｎ］を算出し（ステップＳ１１０）、最大の強度差をもつ参照パターンを抽出する（ステップＳ１１２）。抽出した平均強度Ｗａｖｅと平均強度Ｂａｖｅとの中間値を標準しきい強度Ｔｈｓに設定する（ステップＳ１１４）。そして、制御部は、中間値Ｍａｖｅが標準しきい強度Ｔｈｓと一致するように、当該小領域についての撮像部の受光感度を調整する（ステップＳ１２２）。【選択図】図６
2008016101.tif 000002
【特許請求の範囲】
【請求項１】
ホログラム記録媒体に記録されている情報を再生するための情報再生方法であって、
光源から前記ホログラム記録媒体に参照光を照射するステップと、
前記参照光の照射により前記ホログラム記録媒体から生じる再生光のイメージ情報を撮像部で受光するステップと、
前記イメージ情報の受光強度に基づいて、前記情報を再生するステップとからなり、
前記ホログラム記録媒体は、前記イメージ情報に複数の既知の参照パターンが含まれるように、情報が記録されており、
前記撮像部は、各々が前記参照パターンを含む小領域の単位で、前記イメージ情報の受光感度を変更可能に構成され、
前記情報再生方法は、前記小領域の各々における前記参照パターンの受光強度に基づいて、当該小領域についての前記受光感度を調整するステップを含む、情報再生方法。
【請求項２】
前記参照情報は、互いに異なる受光強度値に対応付けられる第１のデータおよび第２のデータを含む、請求項１に記載の情報再生方法。
【請求項３】
前記情報再生方法は、前記第１のデータの受光強度を代表する第１の代表強度、および前記第２のデータの受光強度を代表する第２の代表強度を算出するステップをさらに含み、
前記受光感度を調整するステップは、前記小領域の各々において、前記第１の代表強度と前記第２の代表強度との中間値が所定のしきい強度と一致するように、前記受光感度を調整する、請求項２に記載の情報再生方法。
【請求項４】
前記第１の代表強度の各々は、対応の前記小領域に含まれるすべての前記第１のデータの受光強度についての平均値であり、
前記第２の代表強度の各々は、対応の前記小領域に含まれるすべての前記第２のデータの受光強度についての平均値である、請求項３に記載の情報再生方法。
【請求項５】
前記受光感度を調整するステップは、前記第１の代表強度および前記第２の代表強度の少なくとも一方が所定の基準範囲外である場合に限って実行される、請求項３または４に記載の情報再生方法。
【請求項６】
前記撮像部は、光エネルギーを電気信号に変換する光電気変換素子を含み、電気信号の変換に用いられる光エネルギーの量および電気信号の増幅量の少なくとも一方の調整によって、前記受光感度を変更される、請求項１〜５のいずれか１項に記載の情報再生方法。
【請求項７】
前記撮像部は、ＣＭＯＳイメージセンサからなり、前記ＣＭＯＳイメージセンサの露出時間および増幅ゲインの少なくとも一方の調整によって、前記受光感度を変更される、請求項１〜６のいずれか１項に記載の情報再生方法。
【請求項８】
前記参照パターンの各々は、対応の前記小領域の中心部に配置される、請求項１〜７のいずれか１項に記載の情報再生方法。
【請求項９】
前記複数の参照パターンの少なくとも１個は、前記イメージ情報が前記撮像部のいずれの位置に投射されるのかを特定するために用いられる、請求項１〜８のいずれか１項に記載の情報再生方法。
【請求項１０】
ホログラム記録媒体に記録されている情報を再生可能なホログラフィー装置であって、
前記ホログラム記録媒体に参照光を照射可能に構成される光源と、
前記参照光の照射により前記ホログラム記録媒体から生じる再生光のイメージ情報を受光するための撮像部と、
前記イメージ情報の受光強度に基づいて、前記情報を再生するためのデコーダ部と、
制御部とを備え、
前記ホログラム記録媒体は、前記イメージ情報に複数の参照パターンが含まれるように、情報が記録されており、
前記撮像部は、前記制御部からの指令に応じて、各々が前記参照パターンを含む小領域の単位で、前記イメージ情報の受光感度を変更可能に構成され、
前記制御部は、前記小領域の各々における前記参照パターンの受光強度に基づいて、当該小領域についての前記受光感度を調整する、ホログラフィー装置。
【請求項１１】
前記参照情報は、互いに異なる受光強度値に対応付けられる第１のデータおよび第２のデータを含む、請求項１０に記載のホログラフィー装置。
【請求項１２】
前記制御部は、前記第１のデータの受光強度を代表する第１の代表強度、および前記第２のデータの受光強度を代表する第２の代表強度を算出し、さらに、前記小領域の各々において、前記第１の代表強度と前記第２の代表強度との中間値が所定のしきい強度と一致するように、前記受光感度を調整する、請求項１１に記載のホログラフィー装置。
【請求項１３】
前記第１の代表強度の各々は、対応の前記小領域に含まれるすべての前記第１のデータの受光強度についての平均値であり、
前記第２の代表強度の各々は、対応の前記小領域に含まれるすべての前記第２のデータの受光強度についての平均値である、請求項１２に記載のホログラフィー装置。
【請求項１４】
前記制御部は、前記第１の代表強度および前記第２の代表強度の少なくとも一方が所定の基準範囲外である場合に限って、前記受光感度を調整する、請求項１２または１３に記載のホログラフィー装置。
【請求項１５】
前記撮像部は、光エネルギーを電気信号に変換する光電気変換素子を含み、電気信号の変換に用いられる光エネルギーの量および電気信号の増幅量の少なくとも一方の調整によって、前記受光感度を変更される、請求項１０〜１４のいずれか１項に記載のホログラフィー装置。
【請求項１６】
前記撮像部は、ＣＭＯＳイメージセンサからなり、前記ＣＭＯＳイメージセンサの露出時間および増幅ゲインの少なくとも一方の調整によって、前記受光感度を変更される、請求項１０〜１５のいずれか１項に記載のホログラフィー装置。
【請求項１７】
前記参照パターンの各々は、対応の前記小領域の中心部に配置される、請求項１０〜１６のいずれか１項に記載のホログラフィー装置。
【請求項１８】
前記複数の参照パターンの少なくとも１個は、前記イメージ情報が前記撮像部のいずれの位置に投射されるのかを特定するために用いられる、請求項１０〜１７のいずれか１項に記載のホログラフィー装置。
【請求項１９】
前記ホログラフィー装置は、
前記光源から照射される光の一部を変調して、前記ホログラム記録媒体へ照射するための信号光を生成可能な光変調部と、
入力される情報に応じて前記光変調部による前記信号光の生成を制御するためのエンコーダ部とをさらに備え、
前記エンコーダ部は、前記入力される情報に加えて、前記複数の参照情報が記録されるように前記光変調部を制御する、請求項１０〜１８のいずれか１項に記載のホログラフィー装置。
【発明の詳細な説明】
【技術分野】
【０００１】
この発明は情報再生方法およびホログラフィー装置に関し、特にホログラム記録媒体からの再生光に生じる輝度ムラの影響を抑制する技術に関する。
【背景技術】
【０００２】
近年、ホログラフィーを利用して、情報の記録／再生を行なうホログラム記録方式が多くの分野で用いられている。このようなホログラム記録方式では、ホログラム記録媒体への情報書込み時には、記録される情報に応じて空間光変調（振幅変調や位相変調など）された信号光が、参照光とともにホログラム記録媒体に照射される。すると、ホログラム記録媒体には、信号光と参照光との干渉により生じる干渉縞が記録される。ここで、信号光は、空間的な広がりをもった光変調器で変調されるため、二次元に配置された複数のデータ（データパターン）からなるイメージ情報を含む。
【０００３】
一方、ホログラム記録媒体からの情報読出し時には、情報書込み時と同様の参照光が、ホログラム記録媒体に照射される。すると、ホログラム記録媒体では、記録された干渉縞によって参照光の一部が回折されて、信号光と同様のイメージ情報を有する再生光が生じる。そして、この再生光は、光学系を介して撮像部まで導かれ、撮像部によって受光される。その後、撮像部によって受光されたイメージ情報の受光強度に基づいて、二値化処理などが行なわれ、情報に再生される。
【０００４】
ところで、撮像部によって受光されるイメージ情報には、多重記録されたホログラムによるクロストークノイズや光学系などに起因する輝度の不均一（いわゆる、輝度ムラ）が生じ得る。このような輝度ムラにより、イメージ情報についての受光強度が不均一となるため、同一のしきい値を用いて二値化処理を行なうと、情報が誤って再生されるおそれがある。そのため、このような輝度ムラによる再生エラーを抑制する必要がある。
【０００５】
そこで、たとえば特開平１１−２７２１５１号公報（特許文献１）では、第２実施例として、データブロックのそれぞれ所定個所に、再生時に読み取り判定されるべき少なくとも第１および第２のディジットレベルを担う基準ビットデータを配する一方、ブロック毎に、当該基準ビットに対応する読取信号の値に基づいてしきい値を決定するディジタル信号再生方法が開示されている。
【０００６】
さらに、特開平１１−２７２１５１号公報（特許文献１）では、第１実施例として、データブロックに再生時に読み取り判定されるべきすべてのディジットレベルを担う複数のビットデータを含ませて記録媒体に記録する一方、ブロック毎に、読み取り判定すべきすべてのディジットレベルを担うビットデータに対応する読取信号の値に基づいてしきい値を決定するディジタル信号再生方法が開示されている。
【特許文献１】特開平１１−２７２１５１号公報
【発明の開示】
【発明が解決しようとする課題】
【０００７】
しかしながら、特開平１１−２７２１５１号公報（特許文献１）の第２実施例においては、第１および第２のディジットレベルを担う基準ビットデータは、ブロック毎に１ビットずつ割当てられるのみである。そのため、当該基準ビットデータに固有のノイズが重畳される場合や、当該基準ビットデータを受光する撮像素子に欠損がある場合などには、正しいしきい値を決定することができず、輝度ムラによる再生エラーを抑制できないという問題点があった。
【０００８】
また、特開平１１−２７２１５１号公報（特許文献１）の第１実施例においては、ブロック毎に任意に定めた暫定スライスレベルと比較し、一旦“１”／“０”判定を行なって“１”または“０”を担うデータを得る。そして、“１”の判定データに対応する読取データの平均値および“０”の判定データに対応する読取データの平均値から、最も読取データの読取誤差が小さくなるような新たなスライスレベルを新たに決定し、再度“１”／“０”判定が行なわれる。このように、ブロック毎に少なくとも２回の“１”／“０”判定が必要となるため、イメージ情報に含まれる情報量が多くなるほど、演算処理量が増大するという問題があった。この結果、一回の読出しに要する時間が増加し、高速な情報読出しを阻害するという問題があった。
【０００９】
そこで、この発明は、かかる問題を解決するためになされたものであり、その目的は、演算処理量を過度に増大させることなく、輝度ムラによる再生エラーを抑制可能な情報再生方法およびホログラフィー装置を提供することである。
【課題を解決するための手段】
【００１０】
第１の発明によれば、ホログラム記録媒体に記録されている情報を再生するための情報再生方法である。この発明に係る情報再生方法は、光源からホログラム記録媒体に参照光を照射するステップと、参照光の照射によりホログラム記録媒体から生じる再生光のイメージ情報を撮像部で受光するステップと、イメージ情報の受光強度に基づいて、情報を再生するステップとからなる。そして、ホログラム記録媒体は、イメージ情報に複数の既知の参照パターンが含まれるように、情報が記録されており、撮像部は、各々が参照パターンを含む小領域の単位で、イメージ情報の受光感度を変更可能に構成される。さらに、この発明に係る情報再生方法は、小領域の各々における参照パターンの受光強度に基づいて、当該小領域についての受光感度を調整するステップを含む。
【００１１】
第１の発明に係る情報再生方法によれば、各小領域の単位で、当該小領域の一部をなす参照パターンの受光強度に基づいて、撮像部における受光感度が調整される。このように、イメージ情報を受光した後のしきい値を最適化するのではなく、イメージ情報の受光強度自体を最適化するので、再生エラーを確実に抑制できる。また、受光感度を一旦調整した後には、受光感度の調整を頻繁に行なう必要はないので、演算処理量が過大に増大することはない。
【００１２】
好ましくは、参照情報は、互いに異なる受光強度値に対応付けられる第１のデータおよび第２のデータを含む。
【００１３】
さらに好ましくは、情報再生方法は、第１のデータの受光強度を代表する第１の代表強度、および第２のデータの受光強度を代表する第２の代表強度を算出するステップをさらに含み、受光感度を調整するステップは、小領域の各々において、第１の代表強度と第２の代表強度との中間値が所定のしきい強度と一致するように、受光感度を調整する。
【００１４】
さらに好ましくは、第１の代表強度の各々は、対応の小領域に含まれるすべての第１のデータの受光強度についての平均値であり、第２の代表強度の各々は、対応の小領域に含まれるすべての第２のデータの受光強度についての平均値である。
【００１５】
また好ましくは、受光感度を調整するステップは、第１の代表強度および第２の代表強度の少なくとも一方が所定の基準範囲外である場合に限って実行される。
【００１６】
また好ましくは、撮像部は、光エネルギーを電気信号に変換する光電気変換素子を含み、電気信号の変換に用いられる光エネルギーの量および電気信号の増幅量の少なくとも一方の調整によって、受光感度を変更される。
【００１７】
また好ましくは、撮像部は、ＣＭＯＳイメージセンサからなり、ＣＭＯＳイメージセンサの露出時間および増幅ゲインの少なくとも一方の調整によって、受光感度を変更される。
【００１８】
また好ましくは、参照パターンの各々は、対応の小領域の中心部に配置される。
また好ましくは、複数の参照パターンの少なくとも１個は、イメージ情報が撮像部のいずれの位置に投射されるのかを特定するために用いられる。
【００１９】
第２の発明によれば、ホログラム記録媒体に記録されている情報を再生可能なホログラフィー装置である。この発明に係るホログラフィー装置は、ホログラム記録媒体に参照光を照射可能に構成される光源と、参照光の照射によりホログラム記録媒体から生じる再生光のイメージ情報を受光するための撮像部と、イメージ情報の受光強度に基づいて、情報を再生するためのデコーダ部と、制御部とを備える。そして、ホログラム記録媒体は、イメージ情報に複数の参照パターンが含まれるように、情報が記録されており、撮像部は、制御部からの指令に応じて、各々が参照パターンを含む小領域の単位で、イメージ情報の受光感度を変更可能に構成される。さらに、制御部は、小領域の各々における参照パターンの受光強度に基づいて、当該小領域についての受光感度を調整する。
【００２０】
第２の発明に係るホログラフィー装置によれば、各小領域の単位で、当該小領域の一部をなす参照パターンの受光強度に基づいて、撮像部における受光感度が調整される。このように、イメージ情報を受光した後のしきい値を最適化するのではなく、イメージ情報の受光強度自体を最適化するので、再生エラーを確実に抑制できる。また、受光感度を一旦調整した後には、受光感度の調整を頻繁に行なう必要はないので、演算処理量が過大に増大することはない。
【００２１】
好ましくは、参照情報は、互いに異なる受光強度値に対応付けられる第１のデータおよび第２のデータを含む。
【００２２】
さらに好ましくは、制御部は、第１のデータの受光強度を代表する第１の代表強度、および第２のデータの受光強度を代表する第２の代表強度を算出し、さらに、小領域の各々において、第１の代表強度と第２の代表強度との中間値が所定のしきい強度と一致するように、受光感度を調整する。
【００２３】
さらに好ましくは、第１の代表強度の各々は、対応の小領域に含まれるすべての第１のデータの受光強度についての平均値であり、第２の代表強度の各々は、対応の小領域に含まれるすべての第２のデータの受光強度についての平均値である。
【００２４】
さらに好ましくは、制御部は、第１の代表強度および第２の代表強度の少なくとも一方が所定の基準範囲外である場合に限って、受光感度を調整する。
【００２５】
また好ましくは、撮像部は、光エネルギーを電気信号に変換する光電気変換素子を含み、電気信号の変換に用いられる光エネルギーの量および電気信号の増幅量の少なくとも一方の調整によって、受光感度を変更される。
【００２６】
また好ましくは、撮像部は、ＣＭＯＳイメージセンサからなり、ＣＭＯＳイメージセンサの露出時間および増幅ゲインの少なくとも一方の調整によって、受光感度を変更される。
【００２７】
また好ましくは、参照パターンの各々は、対応の小領域の中心部に配置される。
また好ましくは、複数の参照パターンの少なくとも１個は、イメージ情報が撮像部のいずれの位置に投射されるのかを特定するために用いられる。
【００２８】
また好ましくは、この発明に係るホログラフィー装置は、光源から照射される光の一部を変調して、ホログラム記録媒体へ照射するための信号光を生成可能な光変調部と、入力される情報に応じて光変調部による信号光の生成を制御するためのエンコーダ部とをさらに備え、エンコーダ部は、入力される情報に加えて、複数の参照情報が記録されるように光変調部を制御する。
【発明の効果】
【００２９】
この発明によれば、演算処理量を過度に増大させることなく、輝度ムラによる再生エラーを確実に抑制可能な情報再生方法およびホログラフィー装置を実現できる。
【発明を実施するための最良の形態】
【００３０】
この発明の実施の形態について、図面を参照しながら詳細に説明する。なお、図中の同一または相当部分については、同一符号を付してその説明は繰返さない。
【００３１】
図１は、本発明の実施の形態に従うホログラフィー装置１００の概略構成図である。
図１を参照して、本発明の実施の形態に従うホログラフィー装置１００は、ホログラム記録媒体２００へ情報を記録可能であるとともに、ホログラム記録媒体２００に記録されている情報を再生可能である。なお、ホログラム記録媒体２００は、一例として、回転ディスク型またはカード型として構成される。そして、ホログラフィー装置１００は、制御部２と、エンコーダ部４と、光変調器６と、光源８と、光分岐部１０と、撮像部１２と、デコーダ部１８とからなる。
【００３２】
制御部２は、外部からの記録／再生指令Ｒ／Ｗに応じて、ホログラム記録媒体２００への情報記録およびホログラム記録媒体２００からの情報再生を選択的に実行する。すなわち、制御部２は、ホログラム記録媒体２００への情報記録指令を受けると、外部から入力される入力データＤｉｎをホログラム記録媒体２００へ書込むように制御する。一方、制御部２は、ホログラム記録媒体２００からの情報再生指令を受けると、ホログラム記録媒体２００に記録されている情報が出力データＤｏｕｔとして外部へ出力するように制御する。
【００３３】
また、制御部２は、メモリ２ａを内蔵し、演算処理に係る一時的なデータをメモリ２ａに格納する。
【００３４】
エンコーダ部４は、ホログラム記録媒体２００への情報記録時において、入力データＤｉｎを符号化して、複数のデータを二次元的に配置したデータパターン（以下では、「イメージ情報」とも称す）を生成する。イメージ情報に割当てる各データのレベル値は、任意に設定できるが、本実施の形態では、一例として２値データ（たとえば、「０」データおよび「１」データ）を用いる。
【００３５】
光変調器６は、ホログラム記録媒体２００への情報記録時において、光源８からの基準光を二分割する。そして、光変調器６は、一方の分割光に対して、エンコーダ部４から受けたイメージ情報に従って空間光変調を行ない、信号光を生成する。なお、空間光変調としては、振幅変調、位相変調およびその両方の組合せなどを用いることができるが、本実施の形態においては、振幅変調を採用する。すなわち、光変調器６から照射される信号光は、イメージ情報に応じた二次元の強度（濃淡）パターンを有することになる。以下の説明では、「０」データを「黒色」（最低階調値）に割当て、「１」データを「白色」（最大階調値）に割当てる振幅変調方式を用いる場合について例示する。
【００３６】
さらに、光変調器６は、他方の分割光に対して、無変調（強度分布が一様）または所定パターンの光変調を行なって参照光を生成する。
【００３７】
また、光変調器６は、ホログラム記録媒体２００からの情報再生時において、ホログラム記録媒体２００への情報記録時と同様の参照光を生成する一方、信号光を生成しない。
【００３８】
なお、光変調器６が光源からの基準光を二分割する構成としては、可動マスクまたは光シャッターを用いてもよい。
【００３９】
光源８は、ホログラム記録媒体２００で安定した光干渉が生じるように、空間的および時間的にコヒーレントな光を照射する。一例として、光源８は、半導体レーザからなる。
【００４０】
光分岐部１０は、光変調器６から放射される信号光および参照光を透過させてホログラム記録媒体２００へ導くとともに、ホログラム記録媒体２００から生じる再生光を反射して撮像部１２へ導く。
【００４１】
撮像部１２は、ホログラム記録媒体２００からの情報再生時において、参照光の照射によりホログラム記録媒体２００から生じる再生光のイメージ情報を受光し、イメージ情報の受光強度に応じたデジタル信号をデコーダ部１８へ出力する。具体的には、撮像部１２は、再生光のイメージ情報を受光するイメージセルアレイ１４と、イメージセルアレイ１４で受像されたイメージ情報の受光強度を示すデジタル信号を生成する周辺回路１６とからなる。
【００４２】
デコーダ部１８は、撮像部１２から受けたイメージ情報の受光強度を示すデジタル信号に基づいて、ホログラム記録媒体２００に記録されている情報を再生する。
【００４３】
（ホログラム記録媒体２００への情報記録）
図２は、ホログラム記録媒体２００への情報記録に係るより詳細な構成図である。
【００４４】
図２を参照して、ホログラフィー装置１００は、コリメートレンズ３０と、１／４波長板３２と、対物レンズ３４とをさらに備える。
【００４５】
コリメートレンズ３０は、光源８と光変調器６との間に配置され、光源８から放射される基準光４０（レーザ光）を平行光線に変換して、光変調器６へ導く。１／４波長板３２は、光分岐部１０とホログラム記録媒体２００との間に配置され、透過する光の偏光方向を直線偏光から円偏光に変換する。対物レンズ３４は、１／４波長板３２を透過後の光をホログラフィー装置１００上に収束させるとともに、ホログラフィー装置１００から生じる光を１／４波長板３２へ導く。
【００４６】
そして、ホログラム記録媒体２００への情報記録指令を受けると、エンコーダ部４は、外部から入力される入力データＤｉｎを符号化してイメージ情報を生成する。
【００４７】
図３は、エンコーダ部４によって生成されるイメージ情報の一例を示す図である。
図４は、図３に示す小領域のデータ配置をより詳細に示す図である。
【００４８】
図３を参照して、イメージ情報は、複数の小領域（ブロック）で構成される。小領域の各々は、１つの参照パターンを含む。後述するように、参照パターンは、情報再生時において、対応の小領域についての撮像部１２の受光感度を調整するために用いられるデータパターンである。
【００４９】
図４を参照して、参照パターンは、対応の小領域の中心部に配置される。本実施の形態においては、一例として、２ビット×２ビットに配置された４個の「０」データ（「黒色」領域）と、その外周に配置される１０個の「１」データ（「白色」領域）とからなる、４ビット×４ビットの方形状のデータパターンが用いられる。また、小領域内の参照パターンを除く領域には、入力データＤｉｎを符号化したデータビットが配置される。
【００５０】
なお、図３および図４においては、小領域および参照パターンのいずれもが方形状に形成される構成について例示したが、方形状に限られるものではなく、長方形、環状、十字上などの任意の形状を選択可能である。また、参照パターンの配置される位置についても、イメージ情報の中心部に限られるものではなく、任意の位置に配置可能である。
【００５１】
再度、図２を参照して、光変調器６は、エンコーダ部４から受けたイメージ情報に従って、基準光４０の一部を空間光変調して信号光４２を生成する。そのため、信号光４２の照射面においては、図３に示すような二次元の強度パターンが現れる。また、光変調器６は、基準光４０の一部をそのまま参照光４４として射出する。
【００５２】
エンコーダ部４から射出された信号光４２および参照光４４は、光分岐部１０を透過して１／４波長板３２へ入射する。そして、信号光４２および参照光４４は、それぞれ１／４波長板３２によって、直線偏光から円偏光に変換される。円偏光に変換された信号光４２および参照光４４は、対物レンズ３４によって、ホログラム記録媒体２００の任意の位置で収束する。
【００５３】
信号光４２および参照光４４は、いずれもコヒーレントな基準光４０から生成されるので、ホログラム記録媒体２００において、信号光４２および参照光４４は光学的な干渉を生じる。そのため、ホログラム記録媒体２００内には、信号光４２と参照光４４との干渉により生じる干渉縞が現れる。
【００５４】
一方、ホログラム記録媒体２００は、記録層２０２および反射膜２０４が接合されて構成されており、信号光４２と参照光４４との干渉により生じる干渉縞は、記録層２０２に記録される。
【００５５】
（ホログラム記録媒体２００からの情報再生）
図５は、ホログラム記録媒体２００からの情報再生に係るより詳細な構成図である。
【００５６】
図５を参照して、ホログラム記録媒体２００からの情報再生指令を受けると、エンコーダ部４は、信号光４２を生成することなく、参照光４４のみを生成する。
【００５７】
エンコーダ部４から射出された参照光４４は、光分岐部１０を透過して１／４波長板３２へ入射する。そして、参照光４４は、１／４波長板３２によって、直線偏光から円偏光に変換される。円偏光に変換された参照光４４は、対物レンズ３４によって、ホログラム記録媒体２００の任意の位置で収束する。すると、参照光４４は、ホログラム記録媒体２００の記録層２０２に記録される干渉縞によって回折された後、反射膜２０４によって反射されて再生光４６となる。ホログラム記録媒体２００では、記録層２０２に記録された干渉縞、すなわち記録されたイメージ情報に応じた回折が生じるので、再生光４６は、記録されたイメージ情報と同一の強度パターンを有する。
【００５８】
そして、再生光４６は、対物レンズ３４によって平行光線に変換された後、１／４波長板３２へ入射する。そして、再生光４６は、１／４波長板３２によって、円偏光から直線偏光に変換される。直線偏光に変換された再生光４６は、光分岐部１０で反射されて、撮像部１２へ導かれる。
【００５９】
撮像部１２は、再生光４６のイメージ情報を受光し、当該イメージ情報の受光強度に応じたデジタル信号をデコーダ部１８へ出力する。なお、以下の説明においては、撮像部１２で受光される再生光４６のイメージ情報であることを特定する場合には、「再生イメージ情報」とも称す。
【００６０】
すなわち、撮像部１２は、再生光４６の投射により生じる二次元の強度（濃淡）パターンを受光し、各ビットの強度値（濃淡値）を取得して、デコーダ部１８へ出力する。たとえば、撮像部１２の階調数が２５６であれば、撮像部１２は、各ビットの受光強度について、０〜２５５階調のうちいずれの値であるかを判断する。
【００６１】
そして、デコーダ部１８は、撮像部１２から受けた受光強度に基づいて、ホログラム記録媒体２００に記録されている情報を再生し、出力データＤｏｕｔとして外部へ出力する。具体的には、デコーダ部１８は、各ビットの受光強度について、所定のしきい強度と比較することで、「０」データおよび「１」データのいずれであるかを判別する。
【００６２】
ここで、撮像部１２は、後述するように、小領域の単位で受光感度を変更可能に構成される。そして、制御部２は、再生光４６の再生イメージ情報に生じる輝度ムラによる再生エラーを回避するため、再生イメージ情報に含まれる各参照パターンの受光強度に基づいて、対応の小領域についての撮像部１２における受光感度を調整する。すなわち、制御部２は、撮像部１２の受光感度を小領域単位で最適化することで、受光される再生イメージ情報全体の受光強度を均一化し、輝度ムラによる再生エラーを抑制する。
【００６３】
（撮像部１２の構成）
再度、図１を参照して、撮像部１２の詳細構成および動作について詳述する。
【００６４】
撮像部１２のイメージセルアレイ１４は、一例として、ＣＭＯＳ（Complementary Metal Oxide Silicon）イメージセンサからなり、行列状に配置された複数のビット線ＢＬおよび複数のワード線ＷＬの各々に対応付けて配置される複数のフォトセルＰＣを含む。フォトセルＰＣの各々は、撮像部１２の画素（ピクセル）に対応し、入射する光の受光強度を検出して出力する。
【００６５】
なお、撮像部１２は、再生イメージ情報の各データ（ビット）の受光強度を独立して検出可能でなければならないので、フォトセルＰＣの各々は、再生イメージ情報のデータ配置に対応付けて構成され、その物理的な大きさは、再生イメージ情報内で１つのデータに割当てられる面積以下となるように構成される。
【００６６】
フォトセルＰＣの各々は、受光する光エネルギーを電気信号に変換する光電気変換素子であるフォトダイオードＰＤを含む。そして、フォトセルＰＣの各々は、対応のフォトダイオードＰＤと対応のビット線ＢＬとの間に接続され、対応のワード線ＷＬの活性／非活性に応じて、対応のフォトダイオードＰＤを対応のビット線ＢＬと電気的に接続／遮断するアクセストランジスタＡＴＲを含む。
【００６７】
周辺回路１６は、制御部２からロウアドレスＲＡ、カラムアドレスＣＡおよび制御指令ＣＴＲＬを受けて、イメージセルアレイ１４の読出対象となるフォトセルＰＣから受光強度を取得する。そして、周辺回路１６は、ワード線ドライバＷＤと、ビット線ドライバＢＤと、トランスファーゲートＴＧと、増幅アンプ２０と、アナログデジタル変換器（ＡＤＣ：Analog to Digital Convert）２２とを含む。
【００６８】
ワード線ドライバＷＤの各々は、対応のワード線ＷＬと電気的に接続され、ロウアドレスＲＡに応じて、対応のワード線ＷＬを活性化（高電圧状態）または非活性化（低電圧状態）する。
【００６９】
トランスファーゲートＴＧの各々は、対応のビット線ＢＬと出力データ線ＤＬとの間に接続されるとともに、各ゲートは、対応のビット線ドライバＢＤと接続される。ビット線ドライバＢＤは、カラムアドレスＣＡに応じて、対応のトランスファーゲートＴＧを活性化（高電圧状態）または非活性化（低電圧状態）する。そのため、ビット線ドライバＢＤによって活性化されるトランスファーゲートＴＧは、対応のビット線ＢＬと出力データ線ＤＬとを電気的に接続する。
【００７０】
すなわち、ワード線ドライバＷＤによって活性化されるワード線ＷＬと、ビット線ドライバＢＤによって活性化されるトランスファーゲートＴＧに対応するビット線ＢＬとの交差点に位置するフォトセルＰＣからの電気信号が出力データ線ＤＬを介して増幅アンプ２０へ出力される。そのため、イメージセルアレイ１４に対するランダムアクセスが可能である。
【００７１】
増幅アンプ２０は、出力データ線ＤＬに接続され、対象のフォトセルＰＣから受けた電気信号を所定の増幅ゲインで増幅した後、アナログデジタル変換器２２へ出力する。
【００７２】
アナログデジタル変換器２２は、増幅アンプ２０から出力される増幅後の電気信号（アナログ信号）をその振幅値に応じて、デジット値（たとえば、０〜２５５階調）に変換する。
【００７３】
（撮像部１２の受光感度）
撮像部１２における受光感度は、フォトダイオードＰＤにおいて電気信号の変換に用いられる光エネルギーの量、およびフォトダイオードＰＤから出力される電気信号の増幅量の少なくとも一方の調整によって変更される。すなわち、フォトセルＰＣの露出時間、および増幅アンプ２０における増幅ゲインの少なくとも一方の調整によって、撮像部１２における受光感度が変更される。
【００７４】
フォトセルＰＣの露出時間は、対応のワード線ＷＬの活性／非活性のタイミングによって決定される。具体的には、フォトセルＰＣは、対応のワード線ＷＬの活性／非活性に応じて、電気信号（電荷）の出力と、電気信号の生成（電荷の蓄積）とを切換えられる。そのため、ワード線ＷＬの非活性期間を調整することで、対応のフォトセルＰＣの露出時間を調整することができる。すなわち、ワード線ＷＬの非活性期間を長くするほど、フォトダイオードＰＤによる電荷蓄積量が増加して受光感度が増大する一方、ワード線ＷＬの非活性期間を短くするほど、フォトダイオードＰＤによる電荷蓄積量が減少して受光感度が低下する。
【００７５】
また、増幅アンプ２０は、ワード線ＷＬおよびビット線ＢＬによって特定されるフォトセルＰＣから出力される電気信号を所定の増幅ゲインで増幅するので、増幅ゲインを調整することで、撮像部１２における受光感度を変更できる。すなわち、ワード線ＷＬおよびビット線ＢＬの活性／非活性タイミングと同期させて、増幅ゲインを調整することで、フォトセルＰＣ単位で受光感度を変更できる。
【００７６】
上述のように、撮像部１２は、フォトセルＰＣ単位で受光感度の変更が可能であるため、複数のフォトセルＰＣを含む小領域の単位での受光感度の変更も当然に可能となる。すなわち、制御部２は、再生イメージ情報の各小領域に対応する複数のフォトセルＰＣの単位で、受光感度を変更するための制御指令ＣＴＲＬを撮像部１２へ出力する。
【００７７】
（情報再生に係る処理）
制御部２は、以下の処理フローに従って、参照パターンの受光強度に基づいて、対応の小領域についての撮像部１２における受光感度を調整しながら、ホログラム記録媒体２００からの情報再生を行なう。なお、以下の処理フローにおいては、１つのイメージ情報にｎ個の参照パターンが含まれている場合について例示する。
【００７８】
図６は、本発明の実施の形態に従う情報再生に係る処理を示すフローチャートである。
図６を参照して、制御部２は、イメージセルアレイ１４内の各フォトセルＰＣの受光感度を初期値に設定する（ステップＳ１００）。すなわち、制御部２は、ワード線ＷＬの活性／非活性のタイミング、および増幅アンプ２０における増幅ゲインをそれぞれ所定の初期値に設定するように、撮像部１２へ制御指令ＣＴＲＬを与える。
【００７９】
制御部２は、参照光４４の照射によりホログラム記録媒体２００から生じる再生イメージ情報を撮像部１２で受光する（ステップＳ１０２）。すなわち、制御部２は、ホログラム記録媒体２００へ参照光４４を照射するための制御指令をエンコーダ部４へ与えるとともに、撮像部１２から再生イメージ情報の受光強度を読出すための制御指令をデコーダ部１８へ与える。
【００８０】
そして、制御部２は、再生イメージ情報の参照パターン毎に、「０」データの受光強度Ｂ［ｎ：ｉ］、および「１」データの受光強度Ｗ［ｎ：ｊ］をデコーダ部１８から取得する（ステップＳ１０４）。なお、受光強度Ｂ［ｎ：ｉ］および受光強度Ｗ［ｎ：ｊ］において、添え字「ｎ」は対応する参照パターンを示し、添え字「ｉ」は各参照パターンに含まれる「０」データの総数を示し、添え字「ｊ」は各参照パターンに含まれる「１」データの総数を示す。
【００８１】
さらに、制御部２は、参照パターン毎に、「０」データの受光強度を代表する「０」データの代表強度、および「１」データの受光強度を代表する「１」データの代表強度を算出する（ステップＳ１０６）。一例として、制御部２は、参照パターン毎に、受光強度Ｂ［ｎ：ｉ］のすべてを平均した平均強度Ｂａｖｅ［ｎ］、および受光強度Ｗ［ｎ：ｉ］のすべてを平均した平均強度Ｗａｖｅ［ｎ］を算出する。
【００８２】
制御部２は、算出した平均強度Ｂａｖｅ［ｎ］および平均強度Ｗａｖｅ［ｎ］の各々がそれぞれの基準範囲内に存在するか否かを判断する（ステップＳ１０８）。すなわち、制御部２は、再生イメージ情報に輝度ムラが生じているか否かを判断する。なお、基準範囲は、予め実験的に導出しておいてもよいが、前回の受光調整後の受光強度などに基づいて決定してもよい。
【００８３】
算出した平均強度Ｂａｖｅ［ｎ］および平均強度Ｗａｖｅ［ｎ］の各々が、それぞれ基準範囲内に存在しない場合（ステップＳ１０８においてＮＯの場合）には、制御部２は、平均強度Ｗａｖｅ［ｎ］と平均強度Ｂａｖｅ［ｎ］との差から、参照パターン毎の強度差Ｄ［ｎ］（＝平均強度Ｗａｖｅ［ｎ］−平均強度Ｂａｖｅ［ｎ］）を算出する（ステップＳ１１０）。
【００８４】
そして、制御部２は、算出した参照パターン毎の強度差Ｄ［ｎ］のうち、最大の強度差をもつ参照パターンを抽出する（ステップＳ１１２）。すなわち、制御部２は、しきい強度マージンが最大となる参照パターンを特定する。さらに、制御部２は、抽出した参照パターンにおけるしきい強度、すなわち平均強度Ｗａｖｅと平均強度Ｂａｖｅとの中間値（＝｛平均強度Ｗａｖｅ＋平均強度Ｂａｖｅ｝／２）を標準しきい強度Ｔｈｓに設定する（ステップＳ１１４）。
【００８５】
続いて、制御部２は、小領域の各々についての受光感度の調整処理を実行する。
制御部２は、再生イメージ情報の最初の小領域を選択する（ステップＳ１１６）。そして、制御部２は、選択中の小領域における平均強度Ｗａｖｅと平均強度Ｂａｖｅとの中間値Ｍａｖｅ（＝｛平均強度Ｗａｖｅ＋平均強度Ｂａｖｅ｝／２）を算出する（ステップＳ１１８）。そして、制御部２は、中間値Ｍａｖｅが標準しきい強度Ｔｈｓと略一致するか否かを判断する（ステップＳ１２０）。平均強度Ｗａｖｅと平均強度Ｂａｖｅとの中間値が標準しきい強度Ｔｈｓと略一致しない場合（ステップＳ１２０においてＮＯの場合）には、制御部２は、中間値Ｍａｖｅが標準しきい強度Ｔｈｓと一致するように、当該小領域についての撮像部１２の受光感度を調整する（ステップＳ１２２）。一例として、制御部２は、フォトセルＰＣの露出時間および増幅アンプ２０における増幅ゲインの少なくとも一方を、標準しきい強度Ｔｈｓと中間値Ｍａｖｅとの偏差に応じた調整量だけ変更する。
【００８６】
受光感度の変更後、制御部２は、参照光４４をホログラム記録媒体２００へ照射するための制御指令をエンコーダ部４へ与えるとともに、選択中の小領域の参照パターンについて、受光強度Ｂ［ｉ］および受光強度Ｗ［ｊ］を取得する（ステップＳ１２４）。そして、制御部２は、取得した受光強度Ｂ［ｉ］および受光強度Ｗ［ｊ］から、選択中の小領域における平均強度Ｗａｖｅと平均強度Ｂａｖｅとの中間値Ｍａｖｅ（＝｛平均強度Ｗａｖｅ＋平均強度Ｂａｖｅ｝／２）を算出する（ステップＳ１１８）。さらに、制御部２は、中間値Ｍａｖｅが標準しきい強度Ｔｈｓと略一致するか否かを判断する（ステップＳ１２０）。
【００８７】
中間値Ｍａｖｅが標準しきい強度Ｔｈｓと略一致する場合（ステップＳ１２０においてＹＥＳの場合）には、制御部２は、再生イメージ情報のすべての小領域が選択されたか否かを判断する（ステップＳ１２６）。再生イメージ情報内のすべての小領域が選択されていない場合（ステップＳ１２６においてＮＯの場合）には、制御部２は、再生イメージ情報の次の小領域を選択し（ステップＳ１２８）、ステップＳ１１８以下の処理を再度実行する。
【００８８】
再生イメージ情報内のすべての小領域が選択された場合（ステップＳ１２６においてＹＥＳの場合）には、制御部２は、参照光４４の照射によりホログラム記録媒体２００から生じる再生イメージ情報を撮像部１２で受光する（ステップＳ１３０）。すなわち、制御部２は、ホログラム記録媒体２００へ参照光４４を照射するための制御指令をエンコーダ部４へ与えるとともに、再生イメージ情報の受光強度を撮像部１２から読出すための制御指令をデコーダ部１８へ与える。
【００８９】
参照光４４の照射によりホログラム記録媒体２００から生じる再生イメージ情報を撮像部１２で受光した後（ステップＳ１３０の実行後）、もしくは算出した平均強度Ｂａｖｅ［ｎ］および平均強度Ｗａｖｅ［ｎ］の各々がそれぞれの基準範囲内に存在する場合（ステップＳ１０８においてＹＥＳの場合）には、制御部２は、再生イメージ情報の受光強度に基づいて情報を再生し、出力データＤｏｕｔとして出力する（ステップＳ１３２）。すなわち、制御部２は、撮像部１２から出力される再生イメージ情報の受光強度に基づいて情報を再生するための制御指令をデコーダ部１８へ与える。なお、デコーダ部１８における二値化処理においては、いずれの小領域についても、上述の標準しきい強度Ｔｈｓが共通して用いられる。これは、各参照パターンのしきい強度が標準しきい強度Ｔｈｓと一致するように、対応の小領域についての受光感度を決定されることによる当然の結果である。
【００９０】
その後、制御部２は、ホログラム記録媒体２００から別の情報を再生する必要があるか否かを判断する（ステップＳ１３４）。ホログラム記録媒体２００から別の情報を再生する必要がある場合（ステップＳ１３４においてＹＥＳの場合）には、制御部２は、ステップＳ１０２以下の処理を再度実行する。
【００９１】
ホログラム記録媒体２００から別の情報を再生する必要がない場合（ステップＳ１３４においてＮＯの場合）には、制御部２は、処理を終了する。
【００９２】
なお、上述の処理フローにおいては、フォトセルＰＣの露出時間または増幅アンプ２０における増幅ゲインの少なくとも一方だけを調整することで、撮像部１２における受光感度を変更する例について説明したが、たとえば、受光感度の変更量に応じて、調整対象を適宜選択するように構成してもよい。
【００９３】
上述の処理フローによれば、ホログラム記録媒体２００から最初に情報を再生する過程においては、再生イメージ情報の各小領域についての受光感度を調整する必要があるが、受光感度の調整後には、受光感度を頻繁に調整する必要は少ない。すなわち、最初の受光感度の変更処理において決定される各小領域についての受光感度は、撮像部１２のフォトセルＰＣや光学系に起因する固有の輝度ムラを打消すように調整されており、このような輝度ムラは、ホログラム記録媒体２００の種類や時間に依存しないので、一旦調整されてしまうと、再度調整を行なう必要が少ないからである。
【００９４】
本実施の形態によれば、各小領域の単位で、当該小領域の一部をなす参照パターンの受光強度に基づいて、撮像部１２における受光感度が調整される。このように、イメージ情報を受光した後のしきい値を最適化するのではなく、受光されるイメージ情報の受光強度自体を最適化するので、再生エラーを確実に抑制できる。
【００９５】
また、本実施の形態によれば、調整後の撮像部１２における受光感度には、撮像部１２のフォトセルＰＣや光学系に起因する固有の輝度ムラを打消すための補正量が含まれている。このような輝度ムラでは、時間的な変動が少ないので、一旦調整された受光感度が頻繁に調整される必要はない。よって、ホログラム記録媒体２００からの情報再生に係る演算処理量が過大に増大することはないため、高速な情報読出しを実現できる。
【００９６】
また、本実施の形態によれば、各小領域に配置される参照パターンは、複数の「０」データおよび「１」データによって構成され、かつ各データに対応する受光強度の平均値で評価されるので、撮像部１２のフォトセルＰＣのいずれかに欠損が存在しても、受光強度の調整処理への影響を軽減できる。よって、撮像部１２の欠損に対して、比較的高耐力のホログラフィー装置を実現できる。
【００９７】
また、本実施の形態によれば、各小領域の中心部に参照パターンが配置されるので、互いに同一の指標を用いて各小領域における輝度ムラを評価できる。よって、規則性をもった輝度ムラ（たとえば、再生イメージ情報の中心部が高輝度であり、その周辺部ほど低輝度となるような場合）が生じている場合などには、受光感度の調整をより効果的に実現できる。
【００９８】
（変形例）
上述の本実施の形態においては、各小領域についての受光感度を調整することのみを目的として、イメージ情報内に複数の参照パターンを配置する構成について説明したが、参照パターンを再生イメージ情報の位置合わせのための機能と兼用することもできる。
【００９９】
本実施の形態の変形例に従うホログラフィー装置は、図１、図２および図５と同様であるので、詳細な説明は繰返さない。
【０１００】
図７は、本実施の形態の変形例に従うイメージ情報の一例を示す図である。
図７を参照して、本実施の形態の変形例に従うイメージ情報は、４つの小領域で構成されるとともに、四隅に参照パターンが配置される。なお、本実施の形態の変形例における、参照パターンは、一例として、図４に示す参照パターンと同様である。
【０１０１】
このように、イメージ情報の四隅に配置される参照パターンは、再生イメージ情報が撮像部１２のいずれの位置に投射されるのかを特定するために用いられる。
【０１０２】
図２および図５に示すように、再生イメージ情報はホログラム記録媒体２００への参照光４４の照射により生じるため、再生イメージ情報の投射位置にはズレが生じやすい。しかしながら、再生イメージ情報からビット単位で情報を再生するためには、再生イメージ情報の各ビットに対して、少なくとも１個のフォトセルＰＣを対応付ける必要がある。
【０１０３】
そこで、投射位置のズレによる再生エラーを回避する一つの方法として、再生イメージ情報の投射面積より大きな受光可能領域をもつような撮像部１２を採用するとともに、再生イメージ情報が投射される領域だけを有効受光領域とする方法がある。このような方法では、再生イメージ情報の投射位置を特定する必要があり、投射位置の特定および有効受光領域の決定などに係る一例の処理を位置合わせと称する。
【０１０４】
図８は、再生イメージ情報の位置合わせの一例を説明するための図である。
図８（ａ）は、再生イメージ情報が撮像部１２の有効受光領域と一致する場合を示す図である。
【０１０５】
図８（ｂ）は、再生イメージ情報の投射位置に変更が生じた場合を示す図である。
図８（ａ）を参照して、再生イメージ情報が撮像部１２の受光可能領域に投射されると、デコーダ部１８（図１）は、再生イメージ情報の四隅に配置された参照パターンに基づいて、再生イメージ情報の投射位置を特定するとともに、その特定情報を制御部２（図１）へ出力する。
【０１０６】
すると、制御部２は、デコーダ部１８から受けた特定情報に基づいて、再生イメージ情報が投射される領域についての受光強度が出力されるように、撮像部１２へ制御指令ＣＴＲＬを出力する。このようにして、制御部２は、有効受光領域を決定する。
【０１０７】
図８（ｂ）を参照して、デコーダ部１８は、周期的に再生イメージ情報の投射位置を特定し、その特定情報を制御部２へ出力するため、制御部２は、再生イメージ情報の投射位置の位置ズレを検出できる。制御部２は、再生イメージ情報の投射位置が変更されると、上述のような手順に従い、最適な位置まで有効受光領域をシフトする。このように、制御部２は、再生イメージ情報の参照パターンに基づいて、上下左右ならびに回転のいずれの位置ズレに対しても、有効受光領域を最適な位置に維持する。
【０１０８】
また、小領域についての撮像部１２の受光感度を変更する構成は、上述の本実施の形態と同様であるので、詳細な説明は繰返さない。
【０１０９】
なお、上述の説明においては、撮像部１２の有効受光領域を変化させて、再生イメージ情報の投射位置のズレを補正する構成について説明したが、この他にも光学的に補正する構成も可能である。
【０１１０】
また、参照パターンは、再生イメージ情報の投射位置を特定できれば、いずれの位置および形状であってもよい。
【０１１１】
本発明の実施の形態の変形例によれば、上述の本実施の形態における効果に加えて、参照パターンを撮像部１２の受光感度の調整および位置合わせに用いるため、情報イメージに参照パターンおよび位置合わせパターンを配置する場合に比較して、より多くの情報量を記録することができる。そのため、ホログラム記録媒体２００に対して、情報を効率的に書込むことができる。
【０１１２】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１１３】
【図１】本発明の実施の形態に従うホログラフィー装置の概略構成図である。
【図２】ホログラム記録媒体への情報記録に係るより詳細な構成図である。
【図３】エンコーダ部によって生成されるイメージ情報の一例を示す図である。
【図４】図３に示す小領域のデータ配置をより詳細に示す図である。
【図５】ホログラム記録媒体からの情報再生に係るより詳細な構成図である。
【図６】本発明の実施の形態に従う情報再生に係る処理を示すフローチャートである。
【図７】本実施の形態の変形例に従うイメージ情報の一例を示す図である。
【図８】再生イメージ情報の位置合わせの一例を説明するための図である。
【符号の説明】
【０１１４】
２  制御部、２ａ  メモリ、４  エンコーダ部、６  光変調器、８  光源、１０  光分岐部、１２  撮像部、１４  イメージセルアレイ、１６  周辺回路、１８  デコーダ部、２０  増幅アンプ、２２  アナログデジタル変換器、３０  コリメートレンズ、３２  １／４波長板、３４  対物レンズ、４０  基準光、４２  信号光、４４  参照光、４６  再生光、１００  ホログラフィー装置、２００  ホログラム記録媒体、２０２  記録層、２０４  反射膜、ＡＴＲ  アクセストランジスタ、Ｂ，Ｗ  受光強度、Ｂａｖｅ，Ｗａｖｅ  平均強度、ＢＤ  ビット線ドライバ、ＢＬ  ビット線、ＣＡ  カラムアドレス、ＣＴＲＬ  制御指令、Ｄ  強度差、Ｄｉｎ  入力データ、ＤＬ  出力データ線、Ｄｏｕｔ  出力データ、Ｍａｖｅ  中間値、ＰＣ  フォトセル、ＰＤ  フォトダイオード、Ｒ／Ｗ  記録／再生指令、ＲＡ  ロウアドレス、ＴＧ  トランスファーゲート、Ｔｈｓ  標準しきい強度、ＷＤ  ワード線ドライバ、ＷＬ  ワード線。
【図１】
2008016101.tif 000003
【図２】
2008016101.tif 000004
【図３】
2008016101.tif 000005
【図４】
2008016101.tif 000006
【図５】
2008016101.tif 000007
【図６】
2008016101.tif 000008
【図７】
2008016101.tif 000009
【図８】
2008016101.tif 000010